(57)【要約】【課題】ケース本体のタブレット収納量が多く、蓋材を回転により所定数量のタブレットをスムーズに取り出せるタブレット回転取出ケースを提供する。【解決手段】ケース本体100 に蓋材200 が回転可能に嵌着するタブレット回転取出ケース10であって、ケース本体は、円形状の底板の中心位置に、凹状又は凸状の摺接嵌合リングを内側側面にもつ回転軸筒120 を立設し、回転軸筒の一側面から外側へ蝸牛状の仕切壁130 を底板上に立設してタブレット蝸牛状収納部140 を形成し、タブレット蝸牛状収納部の外側先端部にタブレット取出孔150 を設け、蓋材は、天板の中央に凸状又は凹状の摺動嵌合リングを側面にもつ回転軸220 を垂設し、天板の回転軸の外側近傍所定位置から外周縁部に至るタブレット押出シャフト案内スリット230 を設け、タブレット押出シャフト案内スリットの最内側位置にタブレット押出シャフト240 を摺動可能に吊着する。【選択図】図１
2005153956.tif 000002
【特許請求の範囲】
【請求項１】
ケース本体に蓋材が回転可能に嵌着する円筒状のタブレット回転取出ケースであって、前記ケース本体は、円形状の底板の中心位置に、凹状又は凸状の摺接嵌合リングを内側側面にもつ回転軸筒を立設し、該回転軸筒の一側面から外側へ蝸牛状の仕切壁を前記底板上に立設して、タブレット蝸牛状収納部を形成し、該タブレット蝸牛状収納部の外側先端部に、タブレット取出孔を設け、前記蓋材は、天板の中央に、凸状又は凹状の摺動嵌合リングを側面にもつ回転軸を垂設し、前記天板の回転軸の外側近傍所定位置から外周縁部に至るタブレット押出シャフト案内スリットを設け、該タブレット押出シャフト案内スリットの最内側位置に、タブレット押出シャフトを摺動可能に吊着したことを特徴とするタブレット回転取出ケース。
【請求項２】
前記ケース本体のタブレット取出孔に、タブレット飛出防止用リブを設けたことを特徴とする請求項１記載のタブレット回転取出ケース。
【請求項３】
前記蓋材のタブレット押出シャフト案内スリットの内側側面に摺接嵌合凹溝を設け、かつ前記タブレット押出シャフトの上端側面に摺動嵌合凸部を設けたことを特徴とする請求項１又は２記載のタブレット回転取出ケース。
【請求項４】
前記ケース本体及び／又は前記蓋材の材質を、透明な熱可塑性樹脂にしたことを特徴とする請求項１乃至３のいずれかに記載のタブレット回転取出ケース。
【発明の詳細な説明】
【技術分野】
【０００１】
本発明は、菓子や医薬品などの円柱状、角柱状、球形状のタブレットを、使用するときに、蓋材を回転させることによりタブレットを必要数量だけ正確に取り出せるタブレット回転取出ケースに関するものである。
【背景技術】
【０００２】
従来、回転取出ケースとしては、錘や釣り針などの釣り用具を収納し、必要なときに蓋材を回転させて収納物を取り出す釣り具用回転取出ケースがある。この釣り具用回転取出ケース（３０）は、図３に示すように、ケース本体（３００）に蓋材（４００）が回転可能に装着した外観が円柱状のケースであり、ケース本体（３００）の構造は、図２（ｂ）に示すように、円形状の底板（３１０）上に外周に沿って周方向に等間隔で放射状に仕切部材（３２０）で設け、蓋材を封止する一箇所以外を収納室（３３０）として形成し、中心位置に回転軸（３４０）を立設したものであり、蓋材（４００）の構造は、図２（ａ）に示すように、天板（４１０）と周壁（４４０）からなり、天板（４１０）にケース本体の収納室と対応する位置の一箇所に収納室形状の収納物取出窓（４２０）を設け、天板（４１０）下面の中心位置にケース本体の回転軸の軸受け（４３０）を設けたものであった。そして、ケース本体の収納室に収納されている収納物を取り出すときは、蓋材を回転させて、蓋材の収納物取出窓を取り出す収納物を収納しているケース本体の収納室位置に合わせ、収納物取出窓から取り出すべき収納物を取り出すものであった。
【発明の開示】
【発明が解決しようとする課題】
【０００３】
しかしながら、上述した釣り具用回転取出ケースのような構造を、タブレット用回転取出ケースに適用した場合には、ケースのタブレットの収納量を増加させるために、収納室の数を減らして収納室の一室当たりのスペースを大きくし、多くのタブレットを一緒に収納するようにすると、蓋材を回転して蓋材の収納物取出窓をケース本体の収納室に合わせて、収納物取出窓からタブレットを振り出すときに、タブレット同士が干渉し合い、振り出されたタブレットの数に、不安定感が生じた。そこで、このタブレットの振り出し数の不安定感をなくすために、収納室に所定数量のタブレットを整列させて収納するようにすると、自ずと、ケースの外周部分のみが収納室として使用されるようになるため、ケースのタブレットの収納数が少なくなってしまう。
【０００４】
本発明は、上述の従来の回転取出ケースの問題点を解決したものであり、ケース本体のタブレットの収納量が多く、蓋材を回転により所定数量のタブレットをスムーズに取り出せるタブレット回転取出ケースを提供するものである。
【課題を解決するための手段】
【０００５】
すなわち、本発明の第１の発明は、ケース本体に蓋材が回転可能に嵌着する円筒状のタブレット回転取出ケースであって、前記ケース本体は、円形状の底板の中心位置に、凹状又は凸状の摺接嵌合リングを内側側面にもつ回転軸筒を立設し、この回転軸筒の一側面から外側へ蝸牛状の仕切壁を前記底板上に立設して、タブレット蝸牛状収納部を形成し、このタブレット蝸牛状収納部の外側先端部に、タブレット取出孔を設け、前記蓋材は、天板の中央に、凸状又は凹状の摺動嵌合リングを側面にもつ回転軸を垂設し、前記天板の回転軸の外側近傍所定位置から外周縁部に至るタブレット押出シャフト案内スリットを設け、このタブレット押出シャフト案内スリットの最内側位置に、タブレット押出シャフトを摺動可能に吊着したことを特徴とするタブレット回転取出ケースである。
【０００６】
次に、本発明の第２の発明は、前記ケース本体のタブレット取出孔に、タブレット飛出防止用リブを設けたことを特徴とする第１の発明に記載のタブレット回転取出ケースである。
【０００７】
次に、本発明の第３の発明は、前記蓋材のタブレット押出シャフト案内スリットの内側側面に摺接嵌合凹溝を設け、かつ前記タブレット押出シャフトの上端側面に摺動嵌合凸部を設けたことを特徴とする第１又は第２の発明に記載のタブレット回転取出ケースである。
【０００８】
そして、本発明の第４の発明は、前記ケース本体及び／又は前記蓋材の材質を、透明な熱可塑性樹脂にしたことを特徴とする第１乃至第３の発明のいずれかに記載のタブレット回転取出ケースである。
【発明の効果】
【０００９】
本発明のタブレット回転取出ケースは、タブレット蝸牛状収納部にタブレットを一列に収納して、最も内側位置のタブレットと回転軸筒との間に、蓋材のタブレット押出シャフト案内スリットの内側位置に吊着するタブレット押出シャフトが来るようにして、蓋材をケース本体に装着して置くと、蓋材の回転するに連れて、押出シャフトがタブレット押出シャフト案内スリットを外側方向へ摺動移動し、この結果、最も内側位置のタブレットがタブレット押出シャフトに押されて外側へ移動し、列するタブレットが順次移動して、最も外側のタブレットから一個ずつタブレット取出孔から押し出されて来る。このため、タブレットを必要とするときに、蓋材を回転することにより所定数量のタブレットをスムーズに取り出すことができる。
【００１０】
また、本発明のタブレット回転取出ケースは、タブレットを収納するために、ケース本体のスペースを無駄なく有効に使用しているため、タブレットの収納量が多い。
【発明を実施するための最良の形態】
【００１１】
次に、本発明のタブレット回転取出ケースの一実施形態について、図を用いて詳細に説明する。
【００１２】
図１（ａ）は、本実施形態のタブレット回転取出ケースの斜視図であり、図１（ｂ）は、その断面図であり、図１（ｃ）は、ケース本体のタブレット蝸牛状収納部にタブレットを収納したときの状態を示す説明図である。図４は、本実施形態のタブレット回転取出ケースの蓋材の天板のタブレット押出シャフト案内スリットと、この案内スリットに摺動可能に吊設するタブレット押出シャフトとの嵌着状態を示す断面図である。
【００１３】
本実施形態のタブレット回転取出ケース（１０）は、図１（ａ）に示すように、ケース本体（１００）に蓋材（２００）が回転可能に嵌着する円筒状のケースであり、蓋材を回転する（矢印で示す）ことにより、ケース本体側面に設けられているタブレット取出孔（１５０）からタブレットが一個ずつ排出して（矢印で示す）取り出されるものである。取り出せれるタブレットの数量は、蓋材の回転角度の大きさによるものである。ケース本体及び蓋材は、使用目的に合った適度に剛性をもつ着色、半透明又は透明な熱可塑性樹脂成形材料を用いて、射出成形法に作製されるものである。
【００１４】
本実施形態のケース本体（１００）の構造は、図１（ｂ）に示すように、円形状の底板（１１０）の中心位置に、凹状の摺接嵌合リング（１２１）を内側側面にもつ回転軸筒（１２０）を立設し、図１（ｃ）に示すように、この回転軸筒（１２０）の一側面から外側へ蝸牛状の仕切壁（１３０）を底板（１１０）上に立設して、幅がタブレットの幅のタブレット蝸牛状収納部（１４０）を形成し、このタブレット蝸牛状収納部の外側先端部に図
１（ａ）及び（ｂ）に示すタブレット取出孔（１５０）を設けるものである。そして、このタブレット取出孔（１５０）には、必要に応じて、図１（ａ）及び（ｂ）に示すタブレット飛出防止リブ（１５１）を設けるものである。このタブレット飛出防止リブを設けることによって、蓋を回転したときに、タブレットが抵抗感をもってタブレット取出孔から排出されるようになり、排出個数を確認しやすく、また、保管、携帯時に、タブレット取出孔からタブレットが不用意に飛び出すことが防げる。
【００１５】
また、本実施形態の蓋材（２００）の構造は、図１（ｂ）に示すように、天板（２１０）の中央に、凸状の摺動嵌合リング（２２１）を側面にもつ回転軸（２２０）を垂設し、図１（ａ）に示すように、天板（２１０）の回転軸（２２０）の外側近傍所定位置から外周縁部に至るタブレット押出シャフト案内スリット（２３０）を設け、このタブレット押出シャフト案内スリットの最内側位置に、タブレット押出シャフト（２４０）を摺動可能に吊着するものである。この吊着方法は、例えば図４に示すように、蓋材（２００）のタブレット押出シャフト案内スリット（２３０）の内側側面に摺接嵌合凹溝（２３１）を設け、タブレット押出シャフト（２４０）の上端側面に摺動嵌合凸部（２４１）を設けて、タブレット押出シャフトをタブレット押出シャフト案内スリットに摺動可能に吊着するものである。
【００１６】
そして、上述したケース本体（１００）のタブレット蝸牛状収納部（１４０）に、図１（ｃ）に示すように、タブレット（２０）を一列に収納して、最も内側位置のタブレットと回転軸筒（１２０）との間に、蓋材のタブレット押出シャフト案内スリット（２３０）（２点鎖線で示す）の内側位置に吊着するタブレット押出シャフト（２４０）（２点鎖線で示す）が来るようにして、蓋材をケース本体に装着するものである。このときに、図１（ｂ）に示すように、ケース本体（１００）の回転軸筒（１２０）の内側側面に設けられた凹状の摺接嵌合リング（１２１）に、蓋材（２００）の回転軸（２２０）の側面に設けられた凸状の摺動嵌合リング（２２１）が摺動可能に嵌合するものである。図１（ａ）に示すように、蓋材（２００）を回転する（矢印で示す）と、ケース本体（１００）の側面に設けられているタブレット取出孔（１５０）からタブレットが排出して来るものである。
【００１７】
なお、ケース本体及び／又は蓋材を透明にして置くと、タブレットを取り出すときの回転運動を、視覚的に楽しむことができる。
【図面の簡単な説明】
【００１８】
【図１】（ａ）は、本発明の一実施形態のタブレット回転取出ケースの斜視図であり、（ｂ）は、その断面図であり、（ｃ）は、ケース本体のタブレット蝸牛状収納部にタブレットを収納したときの状態を示す説明図である。
【図２】（ａ）は、従来の一例の釣り具用回転取出ケースの蓋材の平面図であり、（ｂ）は、ケース本体の平面図である。
【図３】図２に示す釣り具用回転取出ケースの正面図である。
【図４】図１に示すタブレット回転取出ケースの蓋材の天板のタブレット押出シャフト案内スリットと摺動可能に吊設するタブレット押出シャフトとの嵌着状態を示す断面図である。
【符号の説明】
【００１９】
１０……タブレット回転取出ケース
２０……タブレット
３０……釣り具用回転取出ケース
１００……ケース本体
１１０，３１０……底板
１２０……回転軸筒
１２１……摺接嵌合リング
１３０……仕切壁
１４０……タブレット蝸牛状収納部
１５０……タブレット取出孔
１５１……タブレット飛出防止リブ
２００，４００……蓋材
２１０，４１０……天板
２２０，３４０……回転軸
２２１……摺動嵌合リング
２３０……タブレット押出シャフト案内スリット                                    ２３１……摺接嵌合凹溝
２４０……タブレット押出シャフト
２４１……摺動嵌合凸部
３００……ケース本体
３２０……仕切部材
３３０……収納室
４２０……収納物取出窓
４３０……軸受け
４４０……周壁
【図１】
2005153956.tif 000003
【図２】
2005153956.tif 000004
【図３】
2005153956.tif 000005
【図４】
2005153956.tif 000006